(57)【要約】【課題】長期間使用しても絶縁テープの強度低下を防ぎ、しかもコイルとの密着性及び作業性に優れた絶縁テープを提供する。【解決手段】回転機のコイルに使用する絶縁テープにおいて、たて糸に熱収縮性繊維とガラス繊維を配し、横糸にガラス繊維を配した構成であるので、コイルに巻き付け後にゆるみを生じることがなく、また伸縮性があることから作業性に優れ、且つコイルとの密着性を保ち十分な強度で縛れる絶縁テープを提供できる【選択図】図１
2008147028.tif 000002
【特許請求の範囲】
【請求項１】
回転機のコイルに使用する絶縁テープにおいて、たて糸に熱収縮性繊維とガラス繊維を配し、横糸にガラス繊維を配したことを特徴とする絶縁テープ。
【請求項２】
たて糸の熱収縮性繊維とガラス繊維が交互に配したことを特徴とする請求項１記載の絶縁テープ。
【請求項３】
回転機のコイルに使用する絶縁テープにおいて、たて糸及び横糸にガラス繊維を配した第１の層のテープと、前記第１の層のテープ上から第２の層のテープとなる熱収縮性ポリエステルフィルムを張り合わせ二層構造としたことを特徴とする絶縁テープ。
【発明の詳細な説明】
【技術分野】
【０００１】
本発明は、回転機のコイルを絶縁処理する絶縁テープに関する。
【背景技術】
【０００２】
従来、回転機のコイルの絶縁処理には絶縁テープが用いられているが、この絶縁テープとして、例えば図５に示す絶縁テープ（特許文献１参照）が用いられている。  
図５に示す絶縁テープは、たて糸に熱収縮性ポリエステル繊維１２を配し、横糸にガラス繊維２を配したポリエステルガラスクロスからなる裏打材を、マイカ箔９に配設すると共に、エポキシ樹脂１を含浸させた絶縁レジンリッチマイカテープ１０から構成されている。また一般的な絶縁テープとしては、図６に示すように、たて糸及び横糸にガラス繊維２を配したガラスクロスにエポキシ樹脂１を含浸させ、半硬化状に硬化させたプリプレグガラスクロステープ１１が用いられている。
【特許文献１】特公平１−３２９６号公報
【発明の開示】
【発明が解決しようとする課題】
【０００３】
しかしながら、上記の絶縁レジンリッチマイカテープ１０の場合、たて糸が熱収縮性ポリエステル１２から構成されており、長期間使用するとテープ強度が低下するという問題があった。また、一般的に用いられているプリプレグガラスクロステープ１１の場合、熱収縮性がないため、コイルに巻き付ける場合、巻き付け後にゆるみが生じるという問題や、伸縮性が悪いことから作業性が悪化する要因になるなどの問題があった。
【０００４】
本発明は、上記問題を解決するためになされたもので、その課題は長期間使用しても絶縁テープの強度低下を防ぎ、しかもコイルとの密着性及び作業性に優れた絶縁テープを提供することである。
【課題を解決するための手段】
【０００５】
上記課題を解決するために、本発明の請求項１記載の発明は、回転機のコイルに使用する絶縁テープにおいて、たて糸に熱収縮性繊維とガラス繊維を配し、横糸にガラス繊維を配したことを特徴とする。  
請求項１記載の発明によると、たて糸に熱収縮性繊維とガラス繊維を配し、横糸にガラス繊維を配した絶縁テープの構成とすることにより、熱収縮性および伸縮性を保持し、更にコイルを十分な強度で縛ることができる。
【０００６】
請求項２記載の発明は、請求項１記載の絶縁テープにおいて、たて糸の熱収縮性繊維とガラス繊維が交互に配したことを特徴とする。  
請求項２記載の発明によると、請求項１記載の絶縁テープと同様の効果が得られ更により強度を一定にすることができる。
【０００７】
請求項３記載の発明は、回転機のコイルに使用する絶縁テープにおいて、たて糸及び横糸にガラス繊維を配した第１の層のテープと、前記第１の層のテープ上から第２の層のテープとなる熱収縮性ポリエステルフィルムを張り合わせ二層構造としたことを特徴とする。  
請求項３記載の発明によると、ポリエステルフィルムが熱収縮することで、請求項１記載の絶縁テープと同様の効果が得られる。
【発明の効果】
【０００８】
本発明によれば、コイルに巻き付け後にゆるみを生じることがなく、また伸縮性があることから作業性に優れ、且つコイルとの密着性を保ち十分な強度で縛れる絶縁テープを提供することができる。
【発明を実施するための最良の形態】
【０００９】
以下、本発明を実施するための最良の形態を図を用いて説明する。  
図１は本発明の第１実施形態の絶縁テープの構成図である。  
同図に示すように、本実施形態の絶縁テープ８ａは、たて糸である熱収縮性繊維３とガラス繊維２と、横糸であるガラス繊維２をテープ状に引きそろえ、これにエポキシ樹脂１を含浸したものである。
【００１０】
次に、本実施形態の絶縁テープの使用例を図２の斜視図について説明する。  
同図に示すように、回転子鉄心５に回転子コイル７が巻き付けられており、この回転子コイル７は、図１の絶縁テープ８ａで縛られている。また、回転子鉄心５と回転子コイル７の間の絶縁として絶縁シート６を挟んでいる。絶縁テープ８ａは、たて糸に熱収縮性繊維３とガラス繊維２を配しているので、コイルに巻き付けて熱処理後にゆるみを生じることはなく、また伸縮性を有するので作業性に優れ、且つ回転子コイル７との密着性を保ち十分な強度で縛ることができる。
【００１１】
図３は本発明の第２実施形態の絶縁テープの構成図である。  
同図に示すように、本実施形態の絶縁テープ８ｂは、たて糸である熱収縮性繊維３とガラス繊維２と、横糸であるガラス繊維２を交互にテープ状に引きそろえ、これにエポキシ樹脂１を含浸したものである。
【００１２】
次に、本実施形態の作用について説明すると、本実施形態の絶縁テープ８ｂは、たて糸に熱収縮性繊維３とガラス繊維２を交互に配することにより、図１の絶縁テープ８ａと同様の効果が得られ、且つ絶縁テープの強度の安定化を図ることができる。
【００１３】
図４は本発明の第３実施形態の絶縁テープの構成図である。  
同図に示すように、本実施形態の絶縁テープ８ｃは、たて糸及び横糸のガラス繊維２をテープ状に引きそろえ、これにエポキシ樹脂１を含浸した上から、熱収縮性ポリエステルフィルム４を張り合わせ二層構造としている。
【００１４】
次に、本実施形態の作用について説明すると、本実施形態の絶縁テープ８ｃは、熱処理により熱収縮性ポリエステルフィルム４が熱収縮することで、図１の絶縁テープ８ａと同様の効果が得られる。
【図面の簡単な説明】
【００１５】
【図１】本発明の第１実施形態の絶縁テープの構成図。
【図２】図１の絶縁テープの使用例を示す斜視図。
【図３】本発明の第２実施形態の絶縁テープの構成図。
【図４】本発明の第３実施形態の絶縁テープの構成図。
【図５】従来の絶縁テープの構成図。
【図６】従来の他の絶縁テープの構成図。
【符号の説明】
【００１６】
１…エポキシ樹脂、２…ガラス繊維、３…熱収縮性繊維、４…熱収縮性ポリエステルフィルム、５…回転子鉄心、６…絶縁シート、７…回転子コイル、８ａ，８ｂ，８ｃ…絶縁テープ、９…マイカ箔、１０…絶縁レジンリッチマイカテープ、１１…プリプレグガラスクロステープ、１２…熱収縮性ポリエステル繊維。
【図１】
2008147028.tif 000003
【図２】
2008147028.tif 000004
【図３】
2008147028.tif 000005
【図４】
2008147028.tif 000006
【図５】
2008147028.tif 000007
【図６】
2008147028.tif 000008